(57)【要約】【課題】トリガの操作の習熟の度合いに関わらず、瞬時に最大のガス圧力を導入して弾丸を有効に発射する事のできる遊戯銃の複数弾丸発射装置を提供する。【解決手段】複数の弾丸を同時に発射する遊戯銃の弾頭が、中央に設けられた上端にガス充填口のあるガス充填筒部と、周囲に等間隔に弾頭の長手方向に設けられた複数の長孔で底部にガス通路を有する装弾室と、底部に設けられたガス通路を開閉するための第一可動部と第二可動部とからなるシリンダと、ガス通路を閉鎖してガス充填状態を保つとともにガス通路を再度閉鎖するために勢するバネと、係止凹部への押圧により保ち、トリガの操作で凹部との係合が解除されることにより第一可動部を移動可能にしてガス通路を開放させるボールとからなる。【選択図】    図１
2004324962.tif 000002
【特許請求の範囲】
【請求項１】
遊戯銃用の複数の弾丸を発射する装置において、複数の弾丸を同時に発射する遊戯銃の円筒形の弾頭が、
弾頭中央に設けられた上端にガス充填口のあるガス充填筒部と、
該充填筒部の周囲に等間隔に弾頭の長手方向に設けられた複数の長孔であって底部にガス通路を有する装弾室と、
該装弾室の底部に設けられたガス通路を開閉するためにガス充填筒部の底部に嵌合する第一可動部と第二可動部とからなるシリンダと、
該ガス通路を閉鎖してガス充填状態を保つとともに弾丸発射後にガス通路を再度閉鎖するために第一可動部と第二可動部とを付勢するバネと、
該第一可動部によるガス通路閉鎖状態を第二可動部によるボール係止凹部への押圧により保つとともに、トリガの操作で凹部との係合が解除されることにより第一可動部を移動可能にしてガス通路を開放させるボールと、
からなることを特徴とする遊戯銃の複数弾丸発射装置
【請求項２】
前記シリンダは、内周面にボールを係止するボール係止凹部の設けられた筒体と、ガス通路を開閉する第一可動部と、第一可動部によるガス通路の閉鎖状態を保つボール押圧部が上端に設けられるとともに下端に当接凸部の設けられた第二可動部とからなることを特徴とする前記請求項１記載の遊戯銃の複数弾丸発射装置
【請求項３】
前記装弾室は、弾頭の周囲に等間隔で６箇所に穿設されていることを特徴とする前記請求項１記載の遊戯銃の複数弾丸発射装置
【請求項４】
前記弾丸は、弾頭部に等間隔に設けられた６箇所の装弾室に、各４個の、計２４個の弾丸が一つの弾頭に装弾されて全部が同時に発射されることを特徴とする請求項１記載の遊戯銃の複数弾丸発射装置
【請求項５】
前記ボールは、等間隔に設けられた複数の装弾室の底部のガス通路の下部に、等間隔に４ヵ所に各２個づつ装着され、計８個のボールが装着されることを特徴とする前記請求項１記載の遊戯銃の複数弾丸発射装置
【発明の詳細な説明】
【０００１】
【発明の属する技術分野】
本発明は、遊戯用のプラスチック弾（ＢＢ弾＝プラスチックボール弾）を発射するガス銃に関し、特に、ガス充填式の弾丸であって弾頭に設けられた複数の装弾室に装弾された多数の弾丸に瞬間的に加圧ガスを供給し、ガス圧により多数の弾丸を同時により遠方に発射する遊戯用の銃の複数弾丸発射装置に関する。
【０００２】
【従来の技術】
【特許文献】特開平１１−９４４９５号
【特許文献】特開平１１−８３３９０号
【０００３】
遊戯銃と称される玩具にあっては、通常、形状、質感に加えて見かけの動作も実物と同様なものとなるように工夫されて製造されている。トリガの操作により火薬ではなく、圧縮ガスのガス圧で軽量のＢＢ弾（ボールブレット＝プラスチックボール弾）を遠方へ実際に発射させる方式である。この種の玩具銃であって、多数の弾丸を同時に発射させる遊戯銃の複数弾丸発射装置として、トリガの操作に応じてガス圧を制御する可動部が移動するように形成されていて、弾頭（実際には飛ばない）内部に設けられた装弾室に充填された複数の弾丸を、弾頭内部に設けられたガス充填室（蓄圧ボンベ）から供給されたガス圧により発射させる構造の遊戯銃の複数弾丸発射装置が知られている。
【０００４】
弾丸を１発ずつ発射する単発式の遊戯銃の複数弾丸発射装置では、加圧ガスを発射する弾丸の後部に設けられた弾丸発射装置に充填し、トリガの操作により充填したガスを開放して弾丸を発射させていた。構造的には弾丸または弾頭とは別の装置として加圧ガス充填室の端部にトリガにより開閉制御されるガス導出通路が設けられる構成である。
従って、従来の単発式の遊戯銃の技術では、１本の銃身に複数の弾丸を装填して同時に発射することは可能であったが、大量の（例えば１０発以上の）弾丸を同時に発射できる構成ではなかった。
【０００５】
これに対して、新たに開発された図４に示す複数の（数十発の）弾丸を同時に発射させる複数弾丸発射装置１１０では、実際には発射しない弾頭１１１に複数の縦穴からなる装弾室１３０を設けて各装弾室に複数（数発）のＢＢ弾からなる弾丸２を装着するとともに各装弾室に加圧ガスが均等に供給されるガス通路１３２を連通させた構成であり、弾頭自体１１１のガス充填部１２０に加圧ガスを充填して、トリガの操作により撃鉄でシリンダ１４０を激しく打撃してガス通路の閉鎖を開放させて装弾室１３０に加圧ガスを導入して弾頭から複数２の弾丸を発射する構造である。複数の（総数２４発のＢＢ弾の）弾丸を同時に発射出来る構造であり２４発の全部の弾丸を装弾して加圧ガスを充填した状態の弾頭を装弾する構成である。発射後に再度装弾する場合は弾頭を取り外して再度複数の弾丸を装弾して（ガスを充填して）から銃身に装着する。
【０００６】
実際に発射される弾丸はＢＢ弾であり、複数の弾丸を装着する弾頭自体は発射されずに銃身に残る構成で、弾頭自体は弾丸の発射装置となっている点で、実際の銃の構造とも、従来の単発式の遊戯銃の構造とも異なっている。
上記した従来の遊戯銃の複数弾丸発射装置では、弾頭または弾丸の後部にガス充填部１２０が設けられており、トリガの操作により閉鎖されていたガス通路が開放されて加圧ガスが導入され弾丸を瞬間的に押し出して発射させている。
加圧ガスの供給は瞬時で爆発的である事が望ましく、弾丸の飛行距離や破壊能力が向上することになる。
ただし，従来の構造では、撃鉄によるガス通路の開閉速度により加圧ガスの装弾室への導入速度が左右されていたので、撃鉄の速度が遅いと開閉動作が遅くなり瞬発力が出ない欠点があり、また劇鉄の殴打速度を早くする事も出来ないという構造上の欠点があり、常に充分な飛行距離や破壊能力を確実に得ることが出来る構造ではなかった。
【０００７】
【発明が解決しようとする課題】
上記の問題を解決するために、本発明の遊戯銃の複数弾丸発射装置では、トリガの操作の習熟の度合いに関わらず、瞬時に最大のガス圧力を導入して弾丸を有効に発射する事のできる遊戯銃の複数弾丸発射装置を提供することを目的としている。
【０００８】
【課題を解決するための手段】
本発明に係る遊戯銃の複数弾丸発射装置は、遊戯銃用の複数弾丸を発射する装置であって、複数の弾丸を同時に発射する遊戯銃の円筒形の弾頭が、弾頭中央に設けられた上端にガス充填口のあるガス充填筒部と、該充填筒部の周囲に等間隔に弾頭の長手方向に設けられた複数の長孔であって底部にガス通路を有する装弾室と、該装弾室の底部に設けられたガス通路を開閉するためにガス充填筒部の底部に嵌合する第一可動部と第二可動部とからなるシリンダと、該ガス通路を閉鎖してガス充填状態を保つとともに弾丸発射後にガス通路を再度閉鎖するために第一可動部と第二可動部とを付勢するバネと、該第一可動部によるガス通路閉鎖状態を第二可動部によるボール係止凹部への押圧により保つとともに、トリガの操作で凹部との係合が解除されることにより第一可動部を移動可能にしてガス通路を開放させるボールとからなる構成である。
【０００９】
シリンダは、内周面にボールを係止するボール係止凹部の設けられた筒体と、ガス通路を開閉する第一可動部と、第一可動部によるガス通路の閉鎖状態を保つボール押圧部が上端に設けられるとともに下端に当接凸部の設けられた第二可動部とからなる構成である。
装弾室は、弾頭の周囲に等間隔で６箇所に穿設されている。
弾丸は、弾頭部に等間隔に設けられた６箇所の装弾室に、各４個の、計２４個の弾丸が一つの弾頭に装弾されて全部が同時に発射される構成である
ボールは、等間隔に設けられた複数の装弾室の底部のガス通路の下部に、等間隔に４ヵ所に各２個づつ装着され、計８個のボールが装着されることなる構成とすることも可能である。
【００１０】
【作用】
本発明に係る複数の弾丸を同時に発射するための遊戯銃用の発射装置では、円筒形の弾頭が、６つの装弾室と中央の大きなガス充填筒部とに分離されていて、周囲の各装弾室にそれぞれ４個のプラスチック弾丸が装填されるとともに、圧力のかかったガスが中央の収納体積の大きいガス充填室に充填され、第一可動部とボールにより通路が確実に塞がれて封鎖された状態が形成されており、トリガの操作により撃鉄が第二可動部材の底部を殴打すると、ボ−ルによる係止係合が瞬間的に外されてガスが瞬時に通路に導入されるので、複数（２４発）の弾丸が同時に最大出力で飛行距離長くかつ破壊力を持った状態で発射することが可能となる。
【００１１】
【発明の実施の形態】
以下に本発明にかかる遊戯銃の複数弾丸発射装置を図面に示す実施例を用いて詳細に説明する。図１は本発明の遊戯銃の複数弾丸発射装置に弾丸を装填した状態の弾頭の断面図であり、図２は発射開始状態の弾頭の断面図であり、図３は弾丸発射時の断面図である。図４および図５は、従来の複数弾丸発射装置の断面図である。
複数弾丸発射装置１０は、弾頭１１と、ガス充填筒部２０と、装弾室３０と、シリンダ４０と、バネ６０と、ボール７０とからなる。
【００１２】
複数弾丸発射装置１０は、銃身に複数の弾丸を嵌入装着した発射装置付きの弾頭を装填する形式の遊戯銃用の弾丸発射装置を改良した型である。基本的に従来の遊戯銃の複数弾丸発射装置ではガス充填筒部が弾頭の後端に設けられていたのに対して、本発明にかかる複数弾丸発射装置では筒状の弾頭１１の長手方向の中心部分に弾頭の先端から加圧ガスを充填する大きな容量のガス充填筒部２０が設けられている。弾頭は従来と同様に複数の弾丸を発射する装置の一部であって弾丸とともに遠方へ発射されるものではない。弾頭の装着される位置や弾頭の後端に設けられたシリンダ４０の底部４３ａを殴打する撃鉄（図示せず）やトリガ（引金）の構造等は従来の遊戯銃の複数弾丸発射装置と同一であり、ここでは詳述を省略している。
【００１３】
弾頭１１は、複数の弾丸を同時に発射する円筒形の先端が飛び出した形の遊戯銃用の弾頭であり、中心部分に設けられたガス充填筒部２０と、ガス充填筒部２０の周囲に穿設された長孔の装弾室３０と、ガス通路を開閉するシリンダ４０と、シリンダを閉鎖状態に保ち弾丸発射後にガス通路を再度閉鎖状態に戻すバネ６０と、ガス通路を閉鎖状態に保つ係止凹部に嵌合するボール７０とからなる構成である。
【００１４】
ガス充填筒部２０は、筒上の弾頭の中央部に設けられた筒状の加圧ガス充填部であり、弾頭の先端である中央の上端に加圧ガスを充填するガス充填口２２が設けられている。また、筒状体の後端には装弾部と連通するガス通路３２となる開口が設けられており、ガス充填筒部２０と装弾室３０とは後端部において開口を共有して連通している。この開口は後述するシリンダ４０の第一可動部４２の周囲となる側壁で通常は閉鎖されており、第一可動部４２の下方への移動により開放されて連通状態となる。ガス充填筒部２０に加圧ガスが充満している状態から、閉鎖の解除により加圧ガスがガス通路３２を通って開放されて装弾室に導入され、装弾室に装弾されていた弾丸は狙い定められた標的に向かって加圧ガスの圧力により発射される。
【００１５】
装弾室３０は、弾頭の中央に設けられたガス充填筒部の周囲に等間隔に設けられた弾頭の長手方向に延びる上下に開口のある銃身となる長孔であり，筒体の直径は弾丸２が嵌入できる程度の余裕をもって弾丸の直径と略同一に形成されている。
この実施例では６本の装弾室が等間隔に設けられており、各装弾室には４発の弾丸が装填される構造であり、同時に２４発の弾丸が同一方向に発射される。穿設される装弾室の本数および各装弾室に装填される弾丸の数は上記の実施例の数に限定されるものではない。
装弾室の底部にはガス充填室と連通している開口であるガス通路が設けられており，長孔は弾道となり、さらに先端は弾丸の発射方向となって開放されている。
【００１６】
各装弾室３０にはこの実施例では４発の弾丸２が充填され、装弾室の内周壁に突設されているシ−ルリンク等から成るシ−ル部材８２により装填された４発の弾丸は装弾室の底部に固定装填される。弾丸を装填する際は、銃身の先端から弾丸をシ−ル材の凸部に抗して装弾室の底部まで挿入する。挿入された弾丸は４発未満であっても発射までは底部とシ−ル材との間に装填保持される。ただし、１つの装弾室に４発以上の弾丸を装弾する場合は、シール材の位置を適宜に変更する必要がある。
装弾室の後端部にはガス通路３２が設けられており、後述するトリガの操作によりガス充填筒部２０に充填されている加圧ガスがガス通路３２を通って瞬間的に導入され、装填されていた多数の弾丸は、装弾室の開放先端に向かって発射させられる。
【００１７】
シリンダ４０は、装弾室とガス充填筒体とのガス通路を開閉する部材で、ガス充填筒部の底部に嵌合する第一可動部４２と、第一可動部の中に嵌入する第二可動部４３とからなり、第一可動部と第二可動部を連動させるバネ６０と．閉鎖状態を意地するボ−ル７０とで開閉動作をさせる構成である。
シリンダ４０の外周面にはシ−ルリンク等からなるシ−ル部材８０が、加圧ガスがガス通路に漏れないように装着されており、ガス充填室２０の内周面と接合して加圧ガスを密封している。また、第一可動部４２の外周面４２ａはガス通路３２を閉鎖する。
【００１８】
第一可動部４２は、周囲の側壁によりガス通路を閉鎖してガス充填状態を保つとともに、撃鉄により殴打された第二可動部４３の上方への移動によりボ−ル７０が係合から外れると、下方向に移動して充填されている加圧ガスを通路３２から瞬間的に装弾室に導入する部材である。
外形は独楽を伏せたような形状であり、内部は後述する第二可動部が嵌入するように円筒形の空洞に形成されている。
【００１９】
第二可動部４３は、内部を中空に形成した円筒形部材であり、第一可動部を閉鎖状態に保つボール７０をボール係止凹部４８に嵌入係止させるボール押圧部４４が上端に突設されるとともに下端には弾頭の底部１１ａに係合するための当接凸部の設けられた構造である。
第二可動部は後述するトリガの操作により第一可動部の中空に嵌入する構成である。
【００２０】
遊戯銃のトリガ（図示せず）を引くと、撃鉄（図示せず）が第二可動部の底部４３ａを殴打し、これにより、バネによって弾丸下方向に付加押圧されて底部の当接凸部４５で止まっていた第二可動部が上方に移動させられ、第一可動部の内部の中空に嵌入し、ボール押圧部４４も弾頭先端である上方に向かって移動する。第二可動部が上方に向かって移動することにより、ボール押圧部４４が、ボールの押圧状態から開放されるので、ボール７０はボール係止凹部４８とボール押圧部の係止状態から開放され、図３に示すように筒体４６と第二可動部の周壁との間に移動する。ボールが係止状態から開放されると、第一可動部を閉鎖状態に固定している支えがなくなり、第一可動部はガス充填筒部内の加圧ガスの圧力により、底部方向に押し下げられる。第一可動部が下方向に移動することにより、ガス通路３２が瞬間的に全開の状態に開放され、一瞬で全開にされたガス通路から、ガス充填筒部内に蓄圧されていたガスが一気にガス通路を通って装弾室に導入され排出されるガスの圧力により、弾丸が発射される。
【００２１】
バネ６０は、一端を第一可動部の内部の空洞の先端に、他端を第二可動部の内部の中空円筒の低部に係合させた構成で、第二可動部と第一可動部をガス充填状態に保つために付勢するとともに、弾丸発射後にガス通路を再度閉鎖するために第一可動部と第二可動部とを付勢する。
トリガ（引金）が引かれると、バネ６０の付勢により加圧ガスを閉鎖状態に保っていた第二可動部の底部４３ａが撃鉄（図示せず）により殴打され、バネ６０によって下方に押圧されていた第二可動部４３はバネに抗して上方に突き上げられ、第一可動部４２の内部の中空に嵌入移動する。ボール押圧部４４とボール係止凹部４８に挟持されていたボール６０は押圧状態から開放される。これにより、第一可動部を固定していた支えが外れて加圧ガスが装弾室に導入され、弾丸が発射される。
【００２２】
ボール７０は、第一可動部を閉鎖状態に保つと共に、トリガの操作により加圧ガスを開放して弾丸を発射させるための球状の係止具であり、第一可動部の底部付近に穿設された４箇所の貫通孔の中に各２個づつ装填される部材で、この実施例では２個のボールをならべることにより撃鉄の作動が摩擦なく伝わり、押圧係止状態が瞬時に開放されるように構成されている。
第一可動部によるガス通路閉鎖状態を第二可動部によるボール係止凹部への押圧により保つとともに、トリガの操作でボールと凹部との係合が解除されると第一可動部は加圧ガスの圧力により移動してガス通路を開放させる。
弾丸の装着時はボール押圧部４４とボール係止凹部との係合によりガス充填状態を保つとともに、弾丸の発射に当たっては、第二可動部の移動により閉鎖状態の係合が解除され、充填されているガスを装弾室に導入するようにボールを図３に示すように係止凹部とボール押圧部の係合から解除して筒状の第二可動部４３の周壁と筒体４６との間に開放する。
【００２３】
シリンダ４０は、内周面にボールを係止するボール係止凹部の設けられた筒体４６と、ガス通路３２を開閉する第一可動部４２と、第ニ可動部４３とからなる。
図２で示す通り、第二可動部は、撃鉄の操作により第一可動部の中空の中に嵌入する。
【００２４】
図３は発射状態を示す図であり、第一可動部４２は弾頭の底部に押し下げられ、ガス充填筒部２０に充填されていた加圧ガスは、ガス通路３２を通って装弾室３０に導入され、弾丸２がガス圧により発射される。
【００２５】
【発明の効果】
上記詳述した通りの構成であるので、本発明にかかる遊戯銃の複数弾丸発射装置は以下のような効果を奏する、
１．従来の弾頭とはガス充填室の位置が異なり、充填できるガスの容量が大きいので弾丸の破壊力が強力であり、飛距離も従来と比べて飛躍的に長くなった。また、先端から充填するので操作が簡便である。
トリガを引く操作の速さに関係なく一定の飛距離と破壊力を得る事ができるので、習熟度を無視して初心者でも簡単に使いこなせる利点がある。
２．シリンダの作動の伝達が確実で係合が応動解除される構造であり、誰でも開放が瞬時に確実にできる。これにより習熟度に関係なく飛距離と破壊力がでる。
３．多数の弾丸を同時に発射できるので、散弾の効果は大きく、従来の銃にくらべて攻撃力が増大する
４．一つの弾頭から装弾されている全部の弾丸が同時に発射され、６箇所の装弾室に各４発の弾丸を装弾して計２４発の弾丸をほぼ均等の圧力で同時に発射できる。
５．ボールによる閉鎖状態の保持であるので、解除するときに大きな力は不要であり、且つ、ボール同士の点接触であるために、解除が瞬時に達成でき、さらに元の状態である充填状態に戻るのも簡便である。
【図面の簡単な説明】
【図１】本発明にかかる遊戯銃の複数弾丸発射装置の弾頭の断面図
【図２】複数弾丸発射装置の弾頭の発射時の断面図
【図３】複数弾丸発射装置の弾頭の発射後の断面図
【図４】従来の遊戯銃の複数弾丸発射装置の弾頭の断面図
【符号の説明】
２      弾丸
１０    複数弾丸発射装置
１１，１１１    弾頭
１１ａ  弾頭底部
２０    ガス充填筒部
２２    ガス充填口
３０，１３０    装弾室
３２，１３２    ガス通路
４０，１４０    シリンダ
４２    第一可動部
４２ａ  外周面
４３    第二可動部
４３ａ  底部
４４    ボール押圧部
４５    当接凸部
４６    筒体
４８    ボール係止凹部
６０    バネ
７０    ボール
７２    ボール収納室
８０、８２    シ−ル部材
１１０  従来の複数弾丸発射装置
１２０  ガス充填部
【図１】
2004324962.tif 000003
【図２】
2004324962.tif 000004
【図３】
2004324962.tif 000005
【図４】
2004324962.tif 000006